(57)【要約】【課題】撮影装置に設けられた撮像素子等の様々な部材を効率的に清掃できる撮影装置用清掃器具を提供する。【解決手段】清掃器具１０には被清掃面上の異物を粘着させるための粘着性部材１２が設けられている。粘着性部材１２の粘着面１２Ｓは、円弧形状の円弧領域１２Ｃと、円弧領域１２Ｃに隣接する矩形状の矩形領域１２Ｒとを含む。円弧領域１２Ｃは、撮影レンズ等の円形の被清掃面における周辺部の清掃等に適している。一方、矩形領域１２Ｒは、撮像素子ユニットにおけるＬＰＦ表面の端部近傍等の清掃に適している。このため清掃器具１０は、撮影装置に含まれる様々な部材の効率的な清掃を可能にする。【選択図】図１
2008018165.tif 000002
【特許請求の範囲】
【請求項１】
撮影装置の被清掃面上にある異物を除去する撮影装置用清掃器具であって、
前記異物を粘着させる粘着面を有する粘着性部材と、
前記粘着性部材が先端に取付けられている棒状の本体部とを備え、
前記粘着面が、円弧状の輪郭を含む円弧領域と矩形状の矩形領域とを有し、前記円弧領域が、前記矩形領域の互いに隣接する２本の辺の延長線に挟まれた間にあることを特徴とする撮影装置用清掃器具。
【請求項２】
前記粘着面において、前記円弧領域の輪郭における直線部分と、前記矩形領域の辺とが一致することを特徴とする請求項１に記載の撮影装置用清掃器具。
【請求項３】
前記円弧領域が半円状であることを特徴とする請求項１に記載の撮影装置用清掃器具。
【請求項４】
前記粘着面が、前記本体部の延びる方向に対して垂直であることを特徴とする請求項１に記載の撮影装置用清掃器具。
【請求項５】
前記粘着性部材における前記粘着性部材の延びる方向に垂直な切断面が、前記粘着面と同じ形状であることを特徴とする請求項４に記載の撮影装置用清掃器具。
【請求項６】
撮影装置の被清掃面上にある異物を除去する撮影装置用清掃器具であって、
前記異物を粘着させる粘着面を有する粘着性部材と、
前記粘着性部材が先端に取付けられている棒状の本体部とを備え
前記粘着面が、互いに直交する２本の直線を輪郭として含む直角領域と、前記２本の直線の端部同士を結び外方に膨らむ円弧状の輪郭を含み、前記２本の直線によって挟まれた間にある円弧領域とを有することを特徴とする撮影装置用清掃器具。
【発明の詳細な説明】
【技術分野】
【０００１】
本発明は、撮影装置用清掃器具に関し、特に、レンズ交換式デジタルカメラ等の部材に付着する異物を取り除く清掃器具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像素子の表面に付着する場合がある。このため、異物が撮像素子に付着することによる画質の低下を防ぐために、撮像素子表面から異物を取り除くことが必要とされる。また、デジタルカメラ等の撮影装置においては、撮影レンズ、接眼レンズ、ファインダ等の清掃が必要となることもある。
【０００３】
一方、精密機械、電子部品等の清掃のために用いられる掃除具であって、被清掃面上にある異物を粘着させる粘着性部材を取付けた掃除具が知られている（例えば特許文献１〜６）。
【特許文献１】特開２００５−３３４５２５号公報
【特許文献２】特開２００６−１３４号公報
【特許文献３】特開２００６−６６９０号公報
【特許文献４】登録実用新案第３０２２８４３号公報
【特許文献５】登録実用新案第３０４２０１４号公報
【特許文献６】実開平６−６３１８３号公報
【発明の開示】
【発明が解決しようとする課題】
【０００４】
粘着性部材を用いた従来の掃除具は、必ずしもデジタルカメラ等の撮影装置の清掃を前提としていないため、通常、撮像素子等の清掃には適してはいない。例えば、幅広く用いられている先端形状が円形の粘着性部材を用いる場合、撮像素子等、矩形状の被清掃面の清掃には不適当である。
【０００５】
一方、撮像素子等の清掃に用いることを前提として掃除具等を作成した場合であっても、撮像素子等とは形状の異なる撮影装置の撮影レンズ、接眼レンズ、ファインダ等については、清掃作業が困難である。
【０００６】
本発明は、撮影装置に設けられた撮像素子等の様々な部材を効率的に清掃できる撮影装置用清掃器具を提供することを目的とする。
【課題を解決するための手段】
【０００７】
本発明の第１の清掃器具は、撮影装置の被清掃面上にある異物を除去する撮影装置用清掃器具であって、異物を粘着させる粘着面を有する粘着性部材と、粘着性部材が先端に取付けられている棒状の本体部とを備え、粘着面が、円弧状の輪郭を含む円弧領域と矩形状の矩形領域とを有し、円弧領域が、矩形領域の互いに隣接する２本の辺の延長線に挟まれた間にあることを特徴とする。
【０００８】
粘着面においては、円弧領域の輪郭における直線部分と、矩形領域の辺とが一致することが好ましい。また、円弧領域は、例えば半円状である。
【０００９】
粘着面は、本体部の延びる方向に対して垂直であることが好ましい。そしてこの場合、粘着性部材における粘着性部材の延びる方向に垂直な切断面が、粘着面と同じ形状であることがより好ましい。
【００１０】
本発明の第２の清掃器具は、撮影装置の被清掃面上にある異物を除去する撮影装置用清掃器具であって、異物を粘着させる粘着面を有する粘着性部材と、粘着性部材が先端に取付けられている棒状の本体部とを備え、粘着面が、互いに直交する２本の直線を輪郭として含む直角領域と、２本の直線の端部同士を結び外方に膨らむ円弧状の輪郭を含み、２本の直線によって挟まれた間にある円弧領域とを有することを特徴とする。
【発明の効果】
【００１１】
本発明によれば、撮影装置に設けられた撮像素子等の様々な部材を効率的に清掃できる撮影装置用清掃器具を実現できる。
【発明を実施するための最良の形態】
【００１２】
以下、本発明の実施形態を、図面を参照して説明する。図１は、第１の実施形態における清掃器具を示す正面図および側面図である。
【００１３】
清掃器具１０は、撮像素子、ローパスフィルタ、保護フィルタの受光面、撮影レンズ、接眼レンズ、ファインダ等（いずれも図示せず）の撮影装置の部材に付着した埃などの異物を除去し、撮像素子等を清掃するために使用される。清掃器具１０には、ブチルゴムで形成され、異物を粘着させる粘着性部材１２と、樹脂等で形成された棒状の本体部１４とが設けられている。粘着性部材１２は、本体部１４の先端に取付けられている（図１（ｂ）の側面図参照）。
【００１４】
ユーザは、本体部１４を保持しながら粘着性部材１２を被清掃面に押圧させ、被清掃面上の異物を粘着性部材１２に粘着させる。そして異物が粘着性部材１２に粘着した後に、粘着性部材１２を被清掃面から離すことにより、異物は被清掃面から除去される。
【００１５】
粘着性部材１２の先端には、異物を粘着させるための粘着面１２Ｓが設けられている。粘着面１２Ｓは、円弧状の輪郭を含む円弧領域１２Ｃと、円弧領域１２Ｃに隣接する矩形状の矩形領域１２Ｒとを含む（図１（ａ）の正面図参照）。
【００１６】
第１の実施形態では、円弧領域１２Ｃは半円形であり、円弧領域１２Ｃの輪郭のうち破線で示す直線部分と矩形領域１２Ｒの一辺とは一致する。すなわち、矩形領域１２Ｒの長辺の長さは、円弧領域１２Ｃを含む仮想円における直径の長さに等しい。このように、円弧領域１２Ｃの輪郭の直線部分と矩形領域１２Ｒの辺とが共通するように粘着面１２Ｓを形成することにより、粘着面１２Ｓにおいて円弧領域１２Ｃと矩形領域１２Ｒとを設けているものの、粘着性部材１２の構造は簡素化される。
【００１７】
粘着面１２Ｓは、矢印Ａの示す本体部１４の延びる方向に対して垂直である。そして粘着性部材１２は、粘着面１２Ｓおよび粘着面１２Ｓと同じ形状を有する本体部１４側の端面１２Ｒを底面とする柱体である。従って、粘着性部材１２における、本体部１４の延びる方向に垂直な切断面は、いかなる領域の切断面であっても粘着面１２Ｓと同じ形状である。
【００１８】
図２は、清掃器具１０による清掃作業において、粘着面１２Ｓがローパスフィルタの表面上に置かれている状態を概略的に示す図である。図３は、清掃器具１０による清掃作業において、粘着面１２Ｓが撮影レンズの表面上に置かれている状態を概略的に示す図である。なおこれらの図面において、粘着面１２Ｓの大きさは、説明の便宜上、清掃の対象である部材に比べて誇張されている。
【００１９】
清掃器具１０が、例えば撮像素子ユニットのローパスフィルタ（以下、ＬＰＦという）３０の清掃に用いられる場合、粘着面１２Ｓが矩形状のＬＰＦ３０表面に押圧される。そして、ＬＰＦ３０の端部３０Ｅ付近を清掃するときには、図示されたように矩形領域１２Ｒが用いられる。
【００２０】
これは、ＬＰＦ３０の端部３０Ｅ近傍と輪郭の形状が一致しない円弧領域１２Ｃを用いたとしても、端部３０Ｅ付近の異物を粘着させることが困難であるのに対し、ＬＰＦ３０の端部３０Ｅ近傍と輪郭の形状が一致する矩形領域１２Ｒを用いると、ＬＰＦ３０の中心点３０Ｃ付近にある異物と同様に、端部３０Ｅ近傍にある異物も容易かつ確実に除去することができるからである。
【００２１】
なお、粘着性部材１２がＬＰＦ３０の周辺に移動することが許容されるのであれば、円弧領域１２Ｃを用いて端部３０Ｅ付近の異物を粘着させることも可能であるものの、通常、撮像素子ユニットの周囲には様々な部材が配置されているため、立体的な障害により粘着性部材１２はＬＰＦ３０の周辺に移動できないことが多い。従って上述のように、粘着性部材１２の全領域がＬＰＦ３０表面上にある状態を保ちながら端部３０Ｅ近傍を清掃するためには、矩形領域１２Ｒを用いることが必要となる。
【００２２】
第１の実施形態の粘着面１２Ｓにおいては、矩形領域１２Ｒの互いに隣接する２本の辺である長辺Ｌ１と短辺Ｌ２との延長線（破線）に挟まれた間の領域に円弧領域１２Ｃが設けられているため、粘着面１２Ｓの頂点１２ＰをＬＰＦ３０の端部３０Ｅにほぼ一致させて粘着面１２ＳをＬＰＦ３０上に置いた場合、円弧領域１２ＣがＬＰＦ３０の周辺にはみ出し、他の部材に接触することは防止される。
【００２３】
一方、清掃器具１０が、例えば円形の被清掃面を有する撮影レンズ４０の表面の清掃に用いられる場合であって、撮影レンズ４０表面の外周４０Ｏ付近を清掃するときには、円弧領域１２Ｃが用いられる（図３参照）。このとき粘着面１２Ｓは、円弧領域１２Ｃが外周４０Ｏ側にある状態を保ちつつ、適宜移動される。
【００２４】
このように、外周４０Ｏ付近の清掃に円弧領域１２Ｃを用いるのは、撮影レンズ４０の外周４０Ｏ付近と輪郭の形状が一致しない矩形領域１２Ｒを用いたとしても、外周４０Ｏ付近の異物を粘着させることが困難であるのに対し、円弧領域１２Ｃにより、ＬＰＦ３０の中心点３０Ｃから離れた外周４０Ｏ近傍にある異物を確実に除去することができるからである。
【００２５】
以上のように第１の実施形態によれば、粘着性部材１２において、被清掃面の形状に応じて選択的に使用可能な円弧領域１２Ｃおよび矩形領域１２Ｒを設けることにより、撮影装置に設けられた様々な部材の効率的な清掃が可能である。
【００２６】
以下、第２の実施形態につき説明する。図４は、第２の実施形態における清掃器具を示す正面図および側面図である。
【００２７】
本実施形態においては、粘着性部材１２の形状が第１の実施形態と異なる。すなわち、本実施形態において粘着面１２Ｓは、直角領域１２Ｖと円弧領域１２Ｃとを含む。直角領域１２Ｖは、互いに直交する２本の直線Ｌ１、Ｌ２を輪郭として含む。円弧領域１２Ｃは、直線Ｌ１、Ｌ２の端部同士を結び外方に膨らむ円弧状の曲線Ｌ３を輪郭の一部とし、直線Ｌ１、Ｌ２によって挟まれた間にある領域である。
【００２８】
このように、円弧領域１２Ｃと直角領域１２Ｖとを設けることにより、第２の実施形態においても第１の実施形態と同様に、被清掃面の形状に応じて円弧領域１２Ｃと直角領域１２Ｖとを選択的に使用することができ、撮影装置の様々な部材の効率的な清掃が可能である。
【００２９】
すなわち、例えば矩形状のＬＰＦ３０（図２参照）の表面を清掃する場合、主に直角領域１２Ｖが用いられる。このとき、円弧領域１２Ｃが直角領域１２Ｖの輪郭である直線Ｌ１、Ｌ２によって挟まれた間にあるため、第１の実施形態と同様に、粘着性部材１２の全領域がＬＰＦ３０表面上にある状態を保ちながらＬＰＦ３０の端部３０Ｅ近傍を清掃することが可能である。また、円形の被清掃面を有する撮影レンズ４０（図３参照）の表面等を清掃する場合、円弧領域１２Ｃを外周４０Ｏ側に配置しつつ、外周４０Ｏ近傍にある異物を確実に除去することが可能である。
【００３０】
図５は、従来例の清掃器具を示す正面図および側面図である。
【００３１】
従来例の清掃器具２０においては、円柱形の粘着性部材２２が本体部２４に取付けられている。従って、粘着面２２Ｓは円形であり、矩形状のＬＰＦ３０の端部３０Ｅ付近等を清掃する場合（図２参照）においては、第１および第２の実施形態の清掃器具１０とは異なり、異物を確実に除去することはできない。
【００３２】
なお、清掃器具１０の形状等は、いずれの実施形態にも限定されない。例えば、粘着面１２Ｓにおいて、円弧領域１２Ｃは第１の実施形態における半円、第２の実施形態における真円弧以外の扇形、もしくは楕円弧の一部等であっても良い。矩形領域１２Ｒについては、正方形、もしくは互いに直交する２辺を有する四角形等であっても良い。直角領域１２Ｖについても、輪郭を形成する辺である直線Ｌ１、Ｌ２の長さ等は、適宜調整することができる。そして矩形領域１２Ｒもしくは直角領域１２Ｖの辺が、円弧領域１２Ｃの輪郭における直線部分の一部とだけ重なり合っていても良い。
【００３３】
清掃器具１０の大きさについても、被清掃面の広さ、形状等に応じて調整することができる。例えば、粘着面１２Ｓの輪郭の長さがほぼ等しい場合に粘着面１２Ｓの面積を第２の実施形態よりも広くできる点において第１の実施形態の方がより好ましいものの、第２の実施形態における粘着面１２Ｓの大きさを適宜調整しても良い。
【００３４】
また、清掃器具１０の材質についても本実施形態には限定されず、例えば粘着性部材１２は、ブチルゴムの他、粘着性を有するウレタン系樹脂、あるいはスチレンゴム系樹脂等で形成されていても良い。
【図面の簡単な説明】
【００３５】
【図１】第１の実施形態における清掃器具を示す正面図および側面図である。
【図２】第１の実施形態の清掃器具による清掃作業において、粘着面がＬＰＦ表面上に置かれている状態を概略的に示す図である。
【図３】第１の実施形態の清掃器具による清掃作業において、粘着面が撮影レンズ表面上に置かれている状態を概略的に示す図である。
【図４】第２の実施形態における清掃器具を示す正面図および側面図である。
【図５】従来例の清掃器具を示す正面図および側面図である。
【符号の説明】
【００３６】
１０  清掃器具（撮影装置用清掃器具）
１２  粘着性部材
１２Ｃ  円弧領域
１２Ｒ  矩形領域
１２Ｓ  粘着面
１４  本体部
【図１】
2008018165.tif 000003
【図２】
2008018165.tif 000004
【図３】
2008018165.tif 000005
【図４】
2008018165.tif 000006
【図５】
2008018165.tif 000007